(57)【要約】【課題】  光ディスクを収納したカートリッジ本体に設けた記録及び／又は再生用開口部を開閉するシャッタ部材を確実に開閉操作し、開閉した位置に保持する。【解決手段】  光ディスク２を回転可能に収納するとともに、光ディスク２の一部を内外周に亘って外方に臨ませるヘッド用開口部１３が設けられたカートリッジ本体５と、カートリッジ本体５に移動可能に支持されてヘッド用開口部１３を開閉するシャッタ部材１５と、シャッタ部材１５をヘッド用開口部１３を閉塞した位置及び開放した位置のいずれかに選択的に付勢する二方向付勢機構３８とを備える。二方向付勢機構３８は、シャッタ部材１５のヘッド用開口部１３に対する位置に応じて、シャッタ部材１５をヘッド用開口部１３を閉塞する方向又は閉塞する方向のいずれか一方に選択的に付勢する。【選択図】  図１
2005108393.tif 000002
【特許請求の範囲】
【請求項１】
ディスク状記録媒体と、
上記ディスク状記録媒体を回転可能に収納するとともに、上記ディスク状記録媒体の一部を内外周に亘って外方に臨ませる記録及び／又は再生用開口部が設けられたカートリッジ本体と、
上記カートリッジ本体に移動可能に支持されて上記記録及び／又は再生用開口部を開閉するシャッタ部材と、
上記シャッタ部材を上記記録及び／又は再生用開口部を閉塞した位置及び上記記録及び／又は再生用開口部を開放した位置のいずれかに選択的に付勢する二方向付勢機構と
を備えているディスクカートリッジ。
【請求項２】
上記二方向付勢機構は、上記シャッタ部材の上記記録及び／又は再生用開口部に対する位置に応じて、上記シャッタ部材を上記記録及び／又は再生用開口部を閉塞する方向又は上記記録及び／又は再生用開口部を開放する方向のいずれか一方に選択的に付勢する請求項１記載のディスクカートリッジ。
【請求項３】
上記二方向付勢機構は、上記シャッタ部材が上記記録及び／又は再生用開口部を開放する移動方向の上流側に位置して設けられている請求項１記載のディスクカートリッジ。
【請求項４】
上記二方向付勢機構は、上記シャッタ部材と上記カートリッジ本体との間に連結された捩りコイルバネにより構成されている請求項１記載のディスクカートリッジ。
【請求項５】
上記捩りコイルバネは、中間部に第１のコイル部が設けられるとともに上記第１のコイル部から一対のアーム部が延長され、一方のアーム部の先端には上記第１のコイル部と巻方向を逆にして巻回された第２のコイル部が設けられ、上記第２のコイル部を上記カートリッジ本体の一部に回動自在に支持し、他方のアーム部を上記シャッタ部材に支持することによって上記シャッタ部材を上記記録及び／又は再生用開口部を閉塞する方向又は上記記録及び／又は再生用開口部を開放する方向のいずれかに付勢してなる請求項４記載のディスクカートリッジ。
【請求項６】
上記捩りコイルバネは、上記他方のアーム部の先端部に略コ字状に折り曲げられるとともに、上記他方のアーム部より延設される延設部及び／又は該延設部と平行に折り曲げられる折り曲げ部が上記他方のアーム部の延設方向と所定の角度を有する係止部が形成され、該係止部が上記シャッタ部材に係止されていることを特徴とする請求項５記載のディスクカートリッジ。
【請求項７】
上記二方向付勢機構は、上記カートリッジ本体に回動可能に支持されるとともに、上記シャッタ部材に設けられた押圧操作部により上記シャッタ部材が上記記録及び／又は再生用開口部を開閉する方向に移動する際に押圧されて回動操作される回動部材と、上記回動部材を上記押圧操作部側に回動付勢する付勢部材とを備え、上記回動部材には、上記シャッタ部材の上記記録及び／又は再生用開口部に対する位置に応じて、上記シャッタ部材を上記記録及び／又は再生用開口部を閉塞する方向にガイドする第１の傾斜面と、上記シャッタ部材を上記記録及び／又は再生用開口部を開放する方向にガイドする第２の傾斜面が設けられている請求項１記載のディスクカートリッジ。
【請求項８】
上記回動部材と上記付勢部材とは、板バネにより一体に形成されている請求項７記載のディスクカートリッジ。
【請求項９】
上記二方向付勢機構は、上記シャッタ部材が上記記録及び／又は再生用開口部を閉塞した位置に移動されたとき、上記シャッタ部材に設けた押圧操作部と係合して上記シャッタ部材を上記閉塞位置に保持する第１の係合突部と、上記シャッタ部材が上記記録及び／又は再生用開口部を開放した位置に移動されたとき、上記シャッタ部材に設けた押圧操作部と係合して上記シャッタ部材を上記開放位置に保持する第２の係合突部とが設けられた板バネからなる請求項１記載のディスクカートリッジ。
【請求項１０】
上記カートリッジ本体の記録及び／又は再生装置への挿入端側が、上記カートリッジ本体に収納されたディスク状記録媒体の中心を中心とするほぼ半円の円弧状部とされ、上記記録及び／又は再生用開口部は、上記カートリッジ本体の上記円弧状部とされた側面以外の側面に臨んで形成されている請求項１のディスクカートリッジ。
【請求項１１】
上記シャッタ部材が移動する側面は、上記シャッタ部材の移動方向と平行な面である請求項１１記載のディスクカートリッジ。
【発明の詳細な説明】
【技術分野】
【０００１】
本発明は、光ディスク等のディスク状記録媒体を収納したディスクカートリッジに関する。
【背景技術】
【０００２】
従来、光ディスク等のディスク状記録媒体を回転可能に収納し、ディスク状記録媒体を収納したままの状態で記録及び／又は再生装置に装着されるディスクカートリッジが広く用いられている。この種のディスクカートリッジは、ディスク状記録媒体をカートリッジ本体に収納することにより、ディスク状記録媒体の保護を図り、記録及び／又は再生装置への挿脱を容易に行うことを可能としている。
【０００３】
ディスクカートリッジは、ディスク状記録媒体をカートリッジ本体に収納したままの状態で記録及び／又は再生装置に装着可能とすることから、カートリッジ本体には、ディスク状記録媒体の一部を内外周に亘って外方に臨ませる記録及び／又は再生用開口部が設けられている。記録及び／又は再生装置側に設けた光ピックアップ等の記録再生用のヘッド部は、記録及び／又は再生用開口部を介してディスク状記録媒体と対向し、ディスク状記録媒体の信号記録領域を走査して情報信号の記録又は再生を行う。
【０００４】
ところで、カートリッジ本体に設けた記録及び／又は再生用開口部が開放されたままの状態にあると、記録及び／又は再生装置に装着されない保管時等の非使用時にカートリッジ本体内に塵埃等が侵入し、カートリッジ本体に収納されたディスク状記録媒体を汚損してしまうおそれがある。
【０００５】
そこで、ディスク状記録媒体を収納したディスクカートリッジには、記録及び／又は再生用開口部を閉塞するためのシャッタ部材が設けられている。シャッタ部材が設けられたディスクカートリッジにあっては、保管時等の非使用時に記録及び／又は再生用開口部が開放されてしまうことを防止するため、シャッタ部材を記録及び／又は再生用開口部を閉塞するように付勢するバネ部材を設けたものが提供されている。
【０００６】
シャッタ部材を記録及び／又は再生用開口部を閉塞する閉塞方向に付勢するバネ部材等の付勢部材を設けたディスクカートリッジとして特開平９−９１９１５号公報（特許文献１）に記載されたものがある。
【０００７】
ところで、従来提供されているシャッタ部材を備えたディスクカートリッジは、特許文献１に記載されたものを含め、シャッタ部材は、付勢部材より専らシャッタ部材を記録及び／又は再生用開口部を閉塞する閉塞方向にのみ付勢されている。
【０００８】
このように、閉塞方向にのみ付勢されたシャッタ部材により閉塞された記録及び／又は再生用開口部を確実に開放するためには、記録及び／又は再生用開口部を開放した位置から更にシャッタ部材を開放方向に移動させるオーバーストロークが必要となり、その結果、シャッタ部材の移動領域が大きくなり、ディスクカートリッジの小型化が困難となる。このようなオーバーストロークを設けたディスクカートリッジは、記録及び／又は再生装置に装着し、シャッタ部材を付勢部材の付勢力に抗して開放位置に保持するとき、バックラッシが発生する。このようなシャッタ部材は、僅かの衝撃でも振動してしまい、安定した状態で開放位置に保持することが困難となる。このようなシャッタ部材の振動は、記録及び／又は再生装置の記録再生特性に影響を与え、良好な記録再生特性が得られなくなるおそれもある。
【０００９】
また、シャッタ部材を閉塞方向にのみ付勢する付勢部材を設けたディスクカートリッジを用いる記録及び／又は再生装置にあっては、上述のように、シャッタ部材を記録及び／又は再生用開口部を開放した位置に付勢部材の付勢力に抗して保持するための保持機構が設けられるため、記録及び／又は再生装置側の機構が複雑となってしまう。更に、保持機構は、シャッタ部材を付勢する付勢部材の付勢力に抗してシャッタ部材を開放位置に保持するに足る保持力を有する機構が必要であり、機構自体が大型化し、その結果、装置自体の小型化、更には軽量化が困難となる。
【００１０】
【特許文献１】特開平９−９１９１５号公報
【発明の開示】
【発明が解決しようとする課題】
【００１１】
本発明の目的は、ディスク状記録媒体を収納したカートリッジ本体に設けた記録及び／又は再生用開口部を確実に開閉することができるディスクカートリッジを提供することにある。
【００１２】
本発明の他の目的は、ディスク状記録媒体を収納したカートリッジ本体に設けた記録及び／又は再生用開口部を開閉するシャッタ部材を、確実に閉塞位置及び開放位置に保持することができるディスクカートリッジを提供することにある。
【００１３】
本発明の更に他の目的は、記録及び／又は再生装置に安定した状態で装着できるディスクカートリッジを提供することにある。
【００１４】
本発明の更に他の目的は、記録及び／又は再生用開口部を開閉するシャッタ部材の移動範囲を小さくして小型化を実現できるディスクカートリッジを提供することにある。
【００１５】
本発明の更に他の目的は、装着される記録及び／又は再生装置の機構の簡素化を図り、装置自体の小型化に寄与することができるディスクカートリッジを提供することにある。
【課題を解決するための手段】
【００１６】
上述したような目的を達成するため提案される本発明に係るディスクカートリッジは、ディスク状記録媒体と、このディスク状記録媒体を回転可能に収納するとともに、ディスク状記録媒体の一部を内外周に亘って外方に臨ませる記録及び／又は再生用開口部が設けられたカートリッジ本体と、カートリッジ本体に移動可能に支持されて記録及び／又は再生用開口部を開閉するシャッタ部材と、シャッタ部材を記録及び／又は再生用開口部を閉塞した位置及び記録及び／又は再生用開口部を開放した位置のいずれかに選択的に付勢する二方向付勢機構とを備える。
【００１７】
本発明に係るディスクカートリッジに用いられる二方向付勢機構は、シャッタ部材の記録及び／又は再生用開口部に対する位置に応じて、シャッタ部材を記録及び／又は再生用開口部を閉塞する方向又は記録及び／又は再生用開口部を開放する方向のいずれか一方に選択的に付勢する。
【００１８】
ここで、二方向付勢機構は、シャッタ部材が記録及び／又は再生用開口部を開放する移動方向の上流側に位置して設けられている。
【００１９】
二方向付勢機構は、具体的には、シャッタ部材とカートリッジ本体との間に連結された捩りコイルバネにより構成される。
【００２０】
この二方向付勢機構を構成する捩りコイルバネは、中間部に第１のコイル部が設けられるとともに第１のコイル部から一対のアーム部が延長され、一方のアーム部の先端には第１のコイル部と巻方向を逆にして巻回された第２のコイル部が設けられ、第２のコイル部をカートリッジ本体の一部に支持し、他方のアーム部をシャッタ部に支持することによってシャッタ部材を記録及び／又は再生用開口部を閉塞する方向又は開放する方向のいずれかに付勢する。
【００２１】
また、捩りコイルバネは、他方のアーム部の先端部に略コ字状に折り曲げられるとともに、他方のアーム部より延設される延設部及び／又は該延設部と平行に折り曲げられる折り曲げ部が他方のアーム部の延設方向と所定の角度を有する係止部が形成され、この係止部がシャッタ部材に係止されている。
【００２２】
また、二方向付勢機構は、カートリッジ本体に回動可能に支持されるとともに、シャッタ部材に設けられた押圧操作部によりシャッタ部材が記録及び／又は再生用開口部を開閉する方向に移動する際に押圧されて回動操作される回動部材と、回動部材を押圧操作部側に回動付勢する付勢部材とを備え、回動部材には、シャッタ部材の記録及び／又は再生用開口部に対する位置に応じて、シャッタ部材を記録及び／又は再生用開口部を閉塞する方向にガイドする第１の傾斜面と、シャッタ部材を記録及び／又は再生用開口部を開放する方向にガイドする第２の傾斜面が設けられているものを用いることができる。
【００２３】
この二方向付勢機構において、回動部材と付勢部材とは、板バネにより一体に形成するようにすることができる。
【００２４】
更に、二方向付勢機構は、シャッタ部材が上記記録及び／又は再生用開口部を閉塞した位置に移動されたとき、シャッタ部材に設けた押圧操作部と係合してシャッタ部材を閉塞位置に保持する第１の係合突部と、シャッタ部材が上記記録及び／又は再生用開口部を開放した位置に移動されたとき、シャッタ部材に設けた押圧操作部と係合してシャッタ部材を開放位置に保持する第２の係合突部とが設けられた板バネを用いて構成することができる。
【００２５】
本発明に係るディスクカートリッジを構成するカートリッジ本体は、記録及び／又は再生装置への挿入端側が、カートリッジ本体に収納されたディスク状記録媒体の中心を中心とするほぼ半円の円弧状部とされ、記録及び／又は再生用開口部がカートリッジ本体の円弧状部とされた側面以外の側面に臨んで形成されている。この構成のディスクカートリッジにおいて、シャッタ部材が移動する側面は、シャッタ部材の移動方向と平行な面とされている。
【発明の効果】
【００２６】
本発明に係るディスクカートリッジは、二方向付勢機構によりシャッタ部材を付勢しているので、シャッタ部材は、二方向付勢機構により記録及び／又は再生用開口部を閉塞した位置又は開放した位置にそれぞれ付勢されるので、記録及び／又は再生装置側にシャッタ部材を保持するための機構を設けることなく、記録及び／又は再生用開口部を閉塞した位置又は開放した位置に保持され、確実に記録及び／又は再生用開口部を閉塞し且つ開放することができる。
【００２７】
二方向付勢機構は、シャッタ部材の記録及び／又は再生用開口部に対する位置に応じて、シャッタ部材を記録及び／又は再生用開口部を閉塞する方向又は記録及び／又は再生用開口部を開放する方向のいずれか一方に選択的に付勢するので、シャッタ部材は、ディスクカートリッジの記録及び／又は再生装置への挿脱に関連して記録及び／又は再生用開口部を閉塞する方向又は開放する方向に移動され、確実に記録及び／又は再生用開口部を閉塞し且つ開放する。
【００２８】
本発明に係るディスクカートリッジは、シャッタ部材が二方向付勢機構により記録及び／又は再生用開口部を閉塞する方向に加えて開放する方向に付勢されるので、シャッタ部材を開放位置に移動させるためにオーバーストローク分を設ける必要がなくなり、シャッタ部材の移動領域が小さくて済む。その結果、ディスクカートリッジ自体の小型化を実現できる。
【００２９】
また、本発明に係るディスクカートリッジは、二方向付勢機構をシャッタ部材が記録及び／又は再生用開口部を開放する移動方向の上流側に配設しているので、カートリッジ本体の空間を有効に利用して配置することができ、小型化に寄与することができる。
【００３０】
更に、本発明に係るディスクカートリッジを用いる記録及び／又は再生装置は、シャッタ部材を開放位置に保持するための機構を設ける必要がないので、記録及び／又は再生装置の機構の簡素化が図られ、装置自体の小型化が実現される。
【００３１】
更にまた、本発明に係るディスクカートリッジは、ディスク状記録媒体を収納したカートリッジ本体の記録及び／又は再生装置への挿入端側を、カートリッジ本体に収納されたディスク状記録媒体の中心を中心とするほぼ半円の円弧状部としているので、収納するディスク状記録媒体の大きさに合わせ、小型化を実現でき、しかも、記録及び／又は再生用開口部がカートリッジ本体の円弧状部とされた側面以外の側面に臨んで形成されることにより、シャッタ部材をカートリッジ本体に安定して移動可能に取り付けることができ、記録及び／又は再生用の開口部を確実に閉塞することができる。
【００３２】
更にまた、本発明に係るディスクカートリッジは、二方向付勢機構を、中間部に第１のコイル部が設けられるとともに上記第１のコイル部から一対のアーム部が延長され、一方のアーム部の先端には上記第１のコイル部と巻方向を逆にして巻回された第２のコイル部が設けられた捩りコイルバネにより形成すれば、捩りコイルバネ全体の厚みを抑え、ディスクカートリッジの薄型化を図ることができる。
【発明を実施するための最良の形態】
【００３３】
以下、本発明に係るディスクカートリッジを図面を参照して具体的に説明する。
【００３４】
本発明に係るディスクカートリッジ１は、ディスク状記録媒体として、例えば、光ディスク２を回転可能に収納したものであって、図１及び図２に示すように、上下一対のハーフ２，３を突き合わせ結合したカートリッジ本体４を備え、このカートリッジ本体４内に光ディスク２を回転可能に収納している。
【００３５】
本発明に係るディスクカートリッジ１は、例えばテレビジョンゲームを実行するプログラムデータやビデオデータが記録された光ディスク２を収納したものであり、しかも、極めて小型に構成されている。このディスクカートリッジ１は、例えば、直径を６０ｍｍ程度とする小径の光ディスク２を収納したものであって、片手の掌に収納し得る程度の大きさに形成されている。
【００３６】
なお、ここに示すディスクカートリッジ１は、プログラムデータ等の情報信号が予め記録された再生専用型の光ディスク２を収納したものである。
【００３７】
光ディスク２を収納するカートリッジ本体５を構成する上下ハーフ３，４は、合成樹脂材料を成形して形成され、外周囲に立ち上がり周壁３ａ，４ａが形成されている。上下ハーフ３，４は、各立ち上がり周壁３ａ，４ａを突き合わせて結合されることにより、内部にディスク収納部６を構成してカートリッジ本体５を構成する。なお、上下ハーフ３，４は、これら上下ハーフ３，４の相対向する内面に突設した溶着用突起を超音波溶着法等の溶着法を用いて結合されてカートリッジ本体５を構成する。
【００３８】
このディスクカートリッジ１を構成するカートリッジ本体５は、図１乃至図３に示すように、このディスクカートリッジ１が挿脱されるディスク記録及び／又は再生装置への挿入端側となる一側面である前面を円弧状部７として形成している。この円弧状部７は、図２に示すように、カートリッジ本体５のディスク収納部６に収納された光ディスク２の中心を中心Ｐ０として半径Ｒ１を一定にしたほぼ半円の円弧状に形成されている。すなわち、円弧状部７は、カートリッジ本体５に収納された光ディスク２の半円に相当する部分と対向するような半円として形成されている。
【００３９】
カートリッジ本体５の円弧状部７に連続する相対向する側面は、互いに平行な側面８，９として形成され、円弧状部７と対向する背面は、なだらかに湾曲して連続した湾曲部１０として形成されている。
【００４０】
本発明に係るディスクカートリッジ１は、挿入端側となる一の側面である前面を他の面に比し大きく湾曲したほぼ半円の円弧状部７としているので、カートリッジ挿脱口を介してスロットイン方式により挿脱が行われるディスク記録及び／又は再生装置へ挿入を行う際、記録及び／又は再生装置への挿入方向が容易に判別できる。特に、掌内に収納できる程度に小型化したディスクカートリッジ１にあっては、手で握った感覚でも挿入方向の識別を行うことができるので、誤挿入を防止して正確にディスク記録及び／又は再生装置に装着することも可能となる。しかも、このディスクカートリッジ１は、後述するように、スロットイン方式のディスク記録及び／又は再生装置へ挿入操作が容易となるばかりか、確実な挿入操作を実現できる。
【００４１】
更に、本発明に係るディスクカートリッジ１は、挿入端側をほぼ半円の円弧状部７とし、更に加えて円弧状部７と対向する背面も湾曲部１０としているので、収納する光ディスク２に対し一層の小型化が実現されている。
【００４２】
カートリッジ本体５の下面側を構成する下ハーフ４の中央部には、図２及び図３に示すように、カートリッジ本体５に収納した光ディスク２の中心部に形成したセンター穴１１及びその周縁を外方に臨ませる円形の中央開口部１２が形成されている。中央開口部１２には、ディスクカートリッジ１が装着されるディスク記録及び／又は再生装置側に設けられたディスク回転駆動機構の一部、例えばターンテーブルが進入する。
【００４３】
カートリッジ本体５の下面側を構成する下ハーフ４には、図２及び図３に示すように、記録及び／又は再生用開口部であるヘッド用開口部１３が形成されている。ヘッド用開口部１３は、カートリッジ本体５の一方の側面８に位置し、カートリッジ本体５に収納された光ディスク２の信号記録領域の一部を内外周に亘って外方に臨ませるに足る大きさの矩形状に形成されている。すなわち、ヘッド用開口部１３は、カートリッジ本体１の円弧状部７が形成された前面以外の直線状の平坦な面とされた側面８に臨んで形成されている。
【００４４】
本発明に係るディスクカートリッジ１は、ヘッド用開口部１３を開閉するシャッタ部材１５が移動可能に取り付けられている。シャッタ部材１５は、ヘッド用開口部１３を閉塞するに足る大きさの矩形状に形成された平板状のシャッタ部１６と、シャッタ部１６の基板部側に形成された断面コ字状に形成された支持部１７とを備える。
【００４５】
なお、シャッタ部材１５は、薄い金属板を打ち抜き折り曲げて形成され、若しくは合成樹脂材料を成形することにより形成されている。
【００４６】
ところで、シャッタ部材１５は、カートリッジ本体５を構成する上ハーフ３側を支持部１７により支持し、ヘッド用開口部１３を開閉する図２中矢印Ａ方向又は矢印Ｂ方向に移動可能に支持されている。すなわち、シャッタ部材１５は、図４に示すように、上ハーフ３に形成された立ち上がり周壁３ａの一部をもって構成されたスライドガイド部１８を支持部１７により支持してカートリッジ本体５に移動可能に取り付けられている。
【００４７】
そして、シャッタ部材１５に設けられた支持部１７には、図４及び図５に示すように、シャッタ部１６の基端部から垂直に立ち上がり形成された連結片２１が形成され、この連結片２１の先端部にシャッタ部１６側に向かって折り曲げられた第１の係合片２２が設けられている。連結片２１の両側には、第１の係合片２２が形成された部分より一段低い位置でＬ字状に折り曲げられた第２の係合片２３が設けられている。なお、第２の係合片２３は、先端部側が第１の係合片２２側に突出するようにＬ字状に折り曲げられている。
【００４８】
このシャッタ部材１５は、図２に示すように、シャッタ部１６をヘッド用開口部１３上に延在するようにカートリッジ本体５に配設される。このとき、シャッタ部材１５は、図６及び図７に示すように、支持部１７に設けた第１の係合片２２をスライドガイド部１８の側面に形成した係合溝２４に係合し、Ｌ字状の第２の係合片２３をスライドガイド部１８の先端側に係合させることにより、第１及び第２の係合片２２，２３によって支持部１７を挟み込むように支持する。このように支持されたシャッタ部材１５は、支持部１７にガイドされ、ヘッド用開口部１３を開閉する図２中矢印Ａ方向又は矢印Ｂ方向に移動する。
【００４９】
なお、下ハーフ４のシャッタ部１６が移動する領域には、凹状のシャッタスライド部１９が形成されている。シャッタスライド部１９は、シャッタ部１６をカートリッジ本体５の表面から突出させないに足る深さをもって形成されている。
【００５０】
本発明に係るディスクカートリッジ１において、下ハーフ４に形成された立ち上がり周壁４ａのヘッド用開口部１３と対向する部分には、図４及び図７に示すように、切り欠き部２５が形成されて開放されている。すなわち、ヘッド用開口部１３は、カートリッジ本体５の内周側から外周縁に亘る領域が開放されて形成されている。
【００５１】
また、上ハーフ３側に形成されたスライドガイド部１８の少なくともヘッド用開口部１３と対向する部分は、ディスク記録及び／又は再生装置内のカートリッジ装着部に高さ方向の位置決めが図られて装着されたディスクカートリッジ１内の光ディスク２がターンテーブル上に位置決めして装着されたとき、図７に示すように、この光ディスク２の下ハーフ４と対向する下面２ａから突出しない高さＨ１として形成されている。
【００５２】
このように形成されたディスクカートリッジ１は、シャッタ部材１５が移動されてヘッド用開口部１３が開放されたとき、光ディスク２に記録された情報信号を読み出すヘッド部である光ピックアップの全体をカートリッジ本体５内に位置させるばかりか、光ピックアップが光ディスク２の外周側を走査する位置に移動されたとき、後述するように、光ディスク２の信号記録領域を走査する光ビームを集光する対物レンズをカートリッジ本体５内に位置させながら、その他の光学ブロック部分をカートリッジ本体５の外方に位置させることができる。
【００５３】
その結果、本発明に係るディスクカートリッジ１は、光ピックアップを光ディスク２に近接させながら、カートリッジ本体５の内外に亘って位置させることができるので、光ディスク２の外周縁まで信号記録領域を形成することができ、光ディスク２に記録される記録容量を増大させることができる。更に、光ピックアップを光ディスク２に近接させることができることから、対物レンズの開口数（ＮＡ）を大きくでき、光ディスク２の信号記録領域に集光される光ビームのビームスポットを小さくできるので、光ディスク２に記録される情報信号の記録密度を向上できる。更にまた、記録容量の増大とともに記録密度の向上が実現できることから、一定量の記録容量を必要とする光ディスク２の小径化が実現できる。更にまた、光ピックアップをカートリッジ本体５の内外に亘るように位置させて光ディスク２の走査ができるので、カートリッジ本体５の小型化を実現でき、このディスクカートリッジ１を用いるディスク記録及び／又は再生装置の小型化も実現可能となる。
【００５４】
本発明に係るディスクカートリッジ１において、ヘッド用開口部１３を開閉するシャッタ部材１５は、図１及び図２に示すように、カートリッジ本体５の平坦な側面８に沿って移動するように取り付けられている。したがって、シャッタ部材１５は、支持部１７を平坦な側面８に沿わせながら直線移動されるので、安定した移動操作が実現される。
【００５５】
また、ヘッド用開口部１３は、カートリッジ本体５の平坦な側面８に対向する位置に形成されているので、下ハーフ４側に形成される切り欠き部２５が形成された部分も直線状の面とされている。したがって、切り欠き部２５が形成され、カートリッジ本体５の外方に臨む側面８の側が開放されたヘッド用開口部１３であっても、全体が矩形状に形成され、直線状の断面コ字状をなす支持部１７を備えたシャッタ部材１５により確実に閉塞することができる。
【００５６】
本発明に係るディスクカートリッジ１には、シャッタ部材１５がヘッド用開口部１３を閉塞する位置に移動されたとき、シャッタ部材１５の移動を規制するロック機構２７が設けられている。シャッタ部材１５のロック機構２７は、図５及び図８に示すように、シャッタ部材１５に回動可能に取り付けられたロックレバー２８と、このロックレバー２８が係合するカートリッジ本体５側に設けられた係合部２９とを備える。
【００５７】
ロックレバー２８は、図５及び図８に示すように、一端側の側縁に沿って押圧操作部３０が立ち上がり形成され、他端側に係合部２９に係合する係合片３１が立ち上がり形成された長尺な板状の部材として形成されている。このロックレバー２８は、シャッタ部材１５に設けたロックレバー取付片３２に回動可能に取り付けられる。ロックレバー取付片３２は、シャッタ部材１５のスライドガイド部１８を構成する連結片２１の上端縁からシャッタ部１６の側方に突出するように形成されている。
【００５８】
ロックレバー２８は、図１、図６及び図８に示すように、一端側の押圧操作部３０を連結片２１のほぼ中央部に穿設した矩形状の窓部３３に臨ませ、ほぼ中央部に穿設した枢支孔３４をロックレバー取付片３２に直立にした支軸３５に枢支させ、この支軸３５を中心に回動可能に取り付けられている。このとき、ロックレバー２８の他端側に設けた係合片３１は、ロックレバー取付片３２に沿ってシャッタ部１６の側方に突出されている。
【００５９】
なお、シャッタ部材１５の連結片２１に設けた窓部３３は、このディスクカートリッジ１が装着されるディスク記録及び／又は再生装置側に設けられたシャッタ部材１５の移動を規制するシャッタ部材移動規制バネが係合する部分となる。
【００６０】
シャッタ部材１５に支持されたロックレバー２８は、支軸３５に巻回された回動付勢バネ３７により、押圧操作部３０を窓部３３から突出させる図８中矢印Ｃ方向に回動付勢されている。回動付勢バネ３７は、捩りコイルバネにより構成され、一方のアーム部３７ａを押圧操作部３０に係止させ、他方のアーム部３７ｂをシャッタ部材１５側の連結片２１の内面に係止させることによって、ロックレバー２８を図８中矢印Ｃ方向に回動付勢している。
【００６１】
なお、ロックレバー２８は、押圧操作部３０が形成された一端側を連結片２１に当接させることにより回動付勢バネ３７による回動付勢位置が規制されている。
【００６２】
上述のようにロックレバー２８を取り付けたシャッタ部材１５は、前述したように、支持部１７を上ハーフ３に支持させることによりカートリッジ本体５に移動可能に取り付けられる。
【００６３】
ロックレバー２８は、シャッタ部材１５が図６及び図８に示すようにヘッド用開口部１３を閉塞する位置にあるとき、回動付勢バネ３７の付勢力を受けて図８中矢印Ｃ方向に回動され、押圧操作部３０を連結片２１に設けた窓部３３に進入させている。このとき、ロックレバー２８は、他端側に形成した係合片３１をカートリッジ本体５側に設けた係合部２９に係合させ、シャッタ部材１５の移動を規制し、ヘッド用開口部１３をシャッタ部１６によって閉塞した状態に保持している。
【００６４】
カートリッジ本体５側に設けられる係合部２９は、ディスク収納部６の領域外の下ハーフ４の内面であって、シャッタ部材１５が閉塞位置にあるときにロックレバー２８の係合片３１が係合可能な位置に形成されている。係合部２９は、下ハーフ４と一体に形成されている。この係合部２９には、一側面を開放した係合凹部２９ａが形成され、この係合凹部２９ａにロックレバー２８側の係合片３１が係合する。
【００６５】
シャッタ部材１５を閉塞位置にロックしたロックレバー２８は、ディスクカートリッジ１がディスク記録及び／又は再生装置に挿入されるとき、連結片２１に設けた窓部３３に進入し係合するシャッタ部材移動規制バネにより押圧操作部３０が押圧され、回動付勢バネ３７の付勢力に抗して図８中矢印Ｄ方向に回転される。ロックレバー２８が図８中矢印Ｄ方向に回転すると、図９に示すように、係合片３１が係合部２９の係合凹部２９ａから離脱し、シャッタ部材１５のロックが解除され、シャッタ部材１５は、ヘッド用開口部１３を開放する方向の図２中矢印Ａ方向に移動可能となる。
【００６６】
なお、ヘッド用開口部１３の開閉は、カートリッジ本体５とシャッタ部材１５とが相対移動されることによって行われるが、ヘッド用開口部１３の開閉操作の詳細については後述する。
【００６７】
上述したシャッタ部材ロック機構２７は、シャッタ部材１５を閉塞位置にロックするロックレバー２８を、カートリッジ本体５に対し移動するシャッタ部材１５に取り付けているので、ヘッド用開口部１３の開閉に追随してシャッタ部材１５と一体に移動させることができる。その結果、ロックレバー２８は、シャッタ部材１５がヘッド用開口部１３を閉塞した位置にあるとき、少なくとも押圧操作部３０側をヘッド用開口部１３上に位置させて配置できるので、ディスクカートリッジ１の小型化を実現できる。すなわち、ロックレバー２８をカートリッジ本体５側に設けたときには、ロックレバー２８の全体を配置するための空間をカートリッジ本体５側に設ける必要があるが、本発明に係るディスクカートリッジ１は、その必要がなく、カートリッジ本体５側には、ロックレバー２８の一部が係合する係合部２９のみを設けるのみで足るので、カートリッジ本体５の一層の小型化を達成することができる。
【００６８】
ところで、本発明に係るディスクカートリッジ１は、ヘッド用開口部１３を開閉するシャッタ部材１５の確実な移動を実現し、更に、シャッタ部材１５を、ヘッド用開口部１３を開放した位置又は閉塞した位置に確実に保持するようにする二方向付勢機構３８が設けられている。この二方向付勢機構３８は、シャッタ部材１５のカートリッジ本体５に対する移動位置に応じて、シャッタ部材１５をヘッド用開口部１３を開放する方向又は閉塞する方向に移動付勢する機能を備え、シャッタ開閉機構を構成する。
【００６９】
この二方向付勢機構３８は、シャッタ部材１５を、ヘッド用開口部１３を開放する方向及び閉塞する方向の二方向に選択的に移動付勢する二方向付勢部材を用いて構成される。二方向付勢部材には、具体的には、図８に示すように、捩りコイルバネ３９が用いられる。捩りコイルバネ３９は、シャッタ部材１５とカートリッジ本体５との間に懸架される。この捩りコイルバネ３９は、図８に示すように、シャッタ部材１５がヘッド用開口部１３を開放する方向に移動する側に位置して配設されている。すなわち、捩りコイルバネ３９は、シャッタ部材１５がヘッド用開口部１３を閉塞する位置から開放する位置に向かう上流側に位置して配設されている。
【００７０】
ところで、シャッタ部材１５の移動方向の上流側は、ヘッド用開口部１３から離間する方向であるので、この上流側に二方向付勢機構３８を配設することにより、ヘッド用開口部１３を開放したとき、ヘッド用開口部１３に二方向付勢機構３８を構成する捩りコイルバネ３９が突出するようなことが防止でき、ヘッド用開口部１３を大きく開口できる。
【００７１】
更に、本発明に係るディスクカートリッジ１において、シャッタ部材１５の移動方向の上流側は、ディスク記録及び／又は再生装置への挿入端とは反対側の背面側のコーナ部であり、余裕ある空間として構成できるので、二方向付勢機構３８を効率よくカートリッジ本体５内に配置できる。
【００７２】
二方向付勢機構３８を構成する捩りコイルバネ３９は、一方のアーム部３９ａの先端をロックレバー取付片３２の先端に穿設した係合孔４０に係合させ、他方のアーム部３９ｂの先端に設けた環状部４１をカートリッジ本体５の内面に突設した支持ピン４２に係合させて取り付けられている。
【００７３】
この捩りコイルバネ３９は、シャッタ部材１５がヘッド用開口部１３を閉塞する位置にあるときには、ヘッド用開口部１３を閉塞した状態を維持するように図８中矢印Ｂ方向に付勢している。この捩りコイルバネ３９は、ディスクカートリッジ１がディスク記録及び／又は再生装置に装着され、シャッタ部材ロック機構２７によるロックが解除されてシャッタ部材１５がカートリッジ本体５に対しヘッド用開口部１３を開放する方向の図８中矢印Ａ方向に相対移動していくと、固定されていない中心部に形成したコイル部３９ｃの位置がシャッタ部材１５の移動方向の矢印Ａ方向に移動していく。捩りコイルバネ３９は、コイル部３９ｃが更に矢印Ａ方向に移動し、図１０に示すように、シャッタ部材１５の移動方向側に位置する支持ピン４２の位置を超えると付勢方向が反転される。捩りコイルバネ３９は、付勢方向が反転されると、シャッタ部材１５を図１０中矢印Ａ方向に移動するように付勢し、図１１及び図１２に示すように、ヘッド用開口部１３を開放する方向の矢印Ａ方向に移動してヘッド用開口部１３を開放した位置に保持する。
【００７４】
シャッタ部材１５がヘッド用開口部１３を開放した位置に保持されたディスクカートリッジ１をディスク記録及び／又は再生装置から取り出すイジェクト操作を行うと、シャッタ部材１５はカートリッジ本体５に対し図１０中矢印Ｂ方向に移動していき、中心のコイル部３９ｃも同方向の矢印Ｂ方向に移動していく。捩りコイルバネ３９は、シャッタ部材１５が更に矢印Ｂ方向方向に移動し、コイル部３９ｃがシャッタ部材１５の移動方向側に位置する支持ピン４２の位置を超えると付勢方向が反転される。捩りコイルバネ３９は、付勢方向が反転されると、シャッタ部材１５を図９中矢印Ｂ方向に移動するように付勢し、ヘッド用開口部１３を閉塞する方向に移動してヘッド用開口部１３を閉塞した位置に保持する。
【００７５】
このように二方向付勢機構３８を構成する捩りコイルバネ３９により付勢されたシャッタ部材１５は、ヘッド用開口部１３を閉塞した位置及び開放した位置のそれぞれの位置に捩りコイルバネ３９の付勢力を受けて支持されるので、確実にヘッド用開口部１３を閉塞し又は開放した状態を維持できる。
【００７６】
このディスクカートリッジ１を用いるディスク記録及び／又は再生装置には、付勢部材の付勢力に抗してシャッタ部材１５をヘッド用開口部１３を開放した位置に保持するための機構を設ける必要がないので、ディスク記録及び／又は再生装置の機構の簡素化が図られ、装置自体の小型化を実現することができる。
【００７７】
更に、本発明に係るディスクカートリッジ１は、シャッタ部材１５がカートリッジ本体５に設けたヘッド用開口部１３に対する位置に応じて、二方向付勢機構３８によりヘッド用開口部１３を開放する方向又は閉塞方向に移動されるので、ディスクカートリッジ１のディスク記録及び／又は再生装置への挿脱に関連してヘッド用開口部１３を確実に開放し又は閉塞することができる。
【００７８】
更にまた、本発明に係るディスクカートリッジ１は、シャッタ部材１５が二方向付勢機構３８によりヘッド用開口部１３を開放した側に移動付勢されるので、シャッタ部材１５をヘッド用開口部１３を開放した位置に移動させるためにオーバーストローク分を設ける必要がなくなり、シャッタ部材１５の移動領域が小さくて済み、ディスクカートリッジ１自体の小型化を実現できる。
【００７９】
上述したディスクカートリッジ１においては、シャッタ部材１５をヘッド用開口部１３を閉塞した位置に保持するため、シャッタ部材ロック機構２７を設けているが、二方向付勢機構３８のみを設けるようにしてもよい。シャッタ部材ロック機構２７を設けることにより、ディスクカートリッジ１の保管時等の非使用時にシャッタ部材１５が移動操作されてヘッド用開口部１３が不用意に開放されてしまうことを一層確実に規制し、収納した光ディスク２の保護を図ることができる。
【００８０】
また、本発明に係るディスクカートリッジ１は、シャッタ部材１５が取り付けられたカートリッジ本体５の一方の側面８には、図１、図６及び図１２に示すように、ディスク記録及び／又は再生装置側に設けられたシャッタ部材解放操作片が進入するガイド溝４３が設けられている。
【００８１】
カートリッジ本体５の下面側であって、湾曲部１０とされた背面側の両側には、図２及び図３に示すように、ディスク記録及び／又は再生装置側に設けた位置決めピンが係合する第１及び第２の位置決め孔４３，４４が設けられている。なお、第２の位置決め孔４４は、位置決めピンの係合位置を調整するため、シャッタ部材１５の移動方向と直交する幅方向を長径とする長孔として形成されている。
【００８２】
また、カートリッジ本体５の円弧状部７の相対向する側面８，９側には、図１及び図２に示すように、このディスクカートリッジ１が装着されるディスク記録及び／又は再生装置側に設けられるカートリッジローディング機構の一部が係合するローディング用の係合凹部４５，４６が設けられている。
【００８３】
更にまた、カートリッジ本体５の円弧状部７の他方の側面９側に位置する部分には、図２に示すように、記録及び／又は再生装置側に設けられるイジェクト機構の一部が係合するイジェクト用の係合凹部４７が設けられている。
【００８４】
更にまた、カートリッジ本体５の側面８，９、あるいは底面には、収納される光ディスク２の種類を識別するための識別孔や識別凹部が必要に応じて設けられる。
【００８５】
次に、上述したディスクカートリッジ１が用いられるディスク記録及び／又は再生装置の一例を説明する。
【００８６】
本発明に係るディスクカートリッジ１は、例えばテレビジョンゲームを実行するプログラムデータやビデオデータが記録された光ディスク２が収納される。そこで、この種の光ディスク２を収納した本発明に係るディスクカートリッジ１を用いるディスク記録及び／又は再生装置としては、図１３に示すように、ディスクカートリッジ１が装着され、少なくとも光ディスク２に記録されたデータを再生するディスクドライブ部を内蔵した装置本体５１と、光ディスク２から再生された画像データや文字データを表示するディスプレイ部５２を備えたディスクドライブ装置５０が用いられる。
【００８７】
図１３に示すディスクドライブ装置５０は、ディスクドライブ部を内蔵した装置本体５１内には、図示はしないが、ディスクカートリッジ１をディスクドライブ部に装着するためのカートリッジホルダを備えたカートリッジローディング機構が設けられている。装置本体１の一側面を構成する前面には、カートリッジホルダに対しディスクカートリッジ１を挿入し、カセットホルダに装着されたディスクカートリッジ１をイジェクトするためのカートリッジ挿脱口５３が設けられている。カートリッジ挿脱口５３は、ディスクカートリッジ１の挿脱を行うに足る大きさの開口部として形成され、ここに挿入されるディスクカートリッジ１の幅Ｗ１よりわずかに大きい幅Ｗ２を有し、ディスクカートリッジ１の厚さＤ１よりわずかに大きな高さＨ２を有する矩形状に形成されている。装置本体５１内には、カートリッジ挿脱口５３に対向してカートリッジホルダ５４が配設されている。
【００８８】
装置本体５１の前面側の一側には、カートリッジホルダ５４に保持されたディスクカートリッジ１をイジェクト操作するためのイジェクトボタン５５が設けられている。
【００８９】
装置本体５１の上面の一方の側には、例えばテレビジョンゲームを実行する際に用いられる制御スイッチの操作ボタン５６，５７が設けられ、他方の側には、ディスプレイ部５２に表示される画像をスクロールするための制御キー５８が設けられ、更に、光ディスク２から再生されるオーディオ信号を放射するスピーカ５９が設けられている。
【００９０】
装置本体５１には、図示は省略するが、ディスクドライブ部を制御するための再生ボタン等の制御ボビンや電源スイッチ操作ボタン等が設けられている。
【００９１】
ディスプレイ部５２は、装置本体５１のカートリッジ挿脱口５３が設けられた前面側とは反対側の背面側に位置して、ヒンジ機構６０を介して装置本体５１に対し回動可能に取り付けられている。ディスプレイ部５２は、装置本体５１側に回動されることにより、装置本体５１の上面に重ね合わせられる。ディスプレイ部５２は、液晶表示パネルを用いて構成されている。
【００９２】
次に、上述のような構成を備えたディスクドライブ装置５０に本発明に係るディスクカートリッジ１を装着する状態を説明する。
【００９３】
ディスクカートリッジ１をディスクドライブ装置５０に装着するには、図１３に示すように、円弧状部１０が形成された先端側を挿入端としてカートリッジ挿脱口５３から装置本体５１内に挿入され、カートリッジホルダ５４に保持される。
【００９４】
ところで、本発明に係るディスクカートリッジ１は、カートリッジ挿脱口５３への挿入端側がほぼ半円の円弧状部１０として形成されているので、カートリッジ挿脱口５３の幅方向の中心線Ｐ１に対し幅方向の中心線Ｐ２を大きく傾斜して挿入した場合でも、円滑にカートリッジ挿脱口５３に挿入し、確実にカートリッジホルダ５４に保持できる。
【００９５】
すなわち、挿入端がほぼ半円の円弧状部１０とされたディスクカートリッジ１は、図１４又は図１５に示すように、カートリッジ挿脱口５３の幅方向の中心線Ｐ１に対し幅方向の中心線Ｐ２を左右のいずれかの方向に４５度程度まで傾斜した状態でカートリッジ挿脱口５３に挿入された場合であっても、半円の円弧状部１０側を大きく装置本体５１に挿入できる。このとき、ディスクカートリッジ１は、カートリッジ挿脱口５３への挿入途中にカートリッジ挿脱口５３のいずれか一方の側面に当接する円弧状部１０の一部を中心にして、図１６に示すように、各中心線Ｐ１，Ｐ２を一致させる方向に回転して容易に姿勢を正しくすることができる。このように、本発明に係るディスクカートリッジ１は、カートリッジ挿脱口５３に対する挿入方向が大きく変位しても、確実にカートリッジホルダ５４への装着が可能となる。
【００９６】
そして、カートリッジホルダ５４に挿入されたディスクカートリッジ１は、更にカートリッジホルダ５４内に挿入されることにより、シャッタ部材１５がカートリッジ本体５に対し相対移動され、ヘッド用開口部１３が開放される。すなわち、ディスクカートリッジ１が、図１７に示すように、カートリッジホルダ５４の途中まで挿入されると、カートリッジホルダ５４の一方の側に設けた断面Ｌ字状のカートリッジ支持部６１の側壁の一部を切り起こして形成したシャッタ部材移動規制バネ６２の一部がシャッタ部材１５の連結片２１に形成した窓部３３に進入して押圧操作部３０を押圧し、ロックレバー２８を前述した図９中中矢印Ｄ方向に回転させる。ロックレバー２８は、図９中矢印Ｄ方向に回転されると、係合片３１の係合部２９に対する係合が解除されシャッタ部材１５のカートリッジ本体５に対するロックを解除する。シャッタ部材１５は、カートリッジ本体５に対するロックが解除されると、カートリッジ本体５に対し相対的に移動可能な状態となる。
【００９７】
本発明に係るディスクカートリッジ１が装着されるカートリッジホルダ５４には、更にシャッタ解放操作片６３が設けられている。シャッタ解放操作片６３は、ディスクカートリッジ１がシャッタ部材１５のロックが解除される位置まで挿入されたとき、カートリッジ本体５の一方の側面８に形成したガイド溝４３に進入し、シャッタ部材１５の一側に当接する位置に設けられている。
【００９８】
そして、ディスクカートリッジ１は、シャッタ部材１５のロックが解除される位置までカートリッジホルダ５４に挿入されると、図１７に示すように、シャッタ解放操作片６３がシャッタ部材１５の一側に当接し、シャッタ部材１５のカートリッジ本体５に対する移動を規制した状態となる。この図１７に示す位置から更にディスクカートリッジ１をカートリッジホルダ５４の内方に向かう矢印Ｅ方向に挿入すると、カートリッジ本体５が矢印Ｅ方向に移動し、図１８に示すように、ヘッド用開口部１３が開放される。
【００９９】
ディスクカートリッジ１は、シャッタ部材１５の移動が規制された状態で、カートリッジ本体５がヘッド用開口部１３を開放する図１７中矢印Ｅ方向に移動するとき、前述した図９及び図１０に示すように、シャッタ開閉機構３８を構成する捩りコイルバネ３９が偏倚される。捩りコイルバネ３９は、カートリッジ本体５が図１７中矢印Ｅ方向に移動され、コイル部３９ｃがシャッタ部材１５の移動方向側に位置する支持ピン４２の位置を超える位置まで偏倚されると、付勢方向が反転され、シャッタ部材１５をカートリッジ本体５の移動方向とは逆方向の図１７中矢印Ｆ方向に移動させ、前述した図１１及び図１２、更に図１８に示すように、ヘッド用開口部１３を開放する。このとき、シャッタ部材１５は、捩りコイルバネ３９によりヘッド用開口部１３を開放するように付勢されているので、確実にヘッド用開口部１３を開放した状態に維持する。
【０１００】
上述のような操作をもってヘッド用開口部１３が開放されてカートリッジホルダ５４に挿入されたディスクカートリッジ１は、ディスクドライブ装置５０内に設けられたカートリッジ装着部に位置決めして装着される。このとき、光ディスク２は、ディスクドライブ部に位置決めして装着される。ここで、ディスクドライブ部を駆動することによって、光ディスク２に記録されたプログラムデータが再生され、プログラムが実行される。
【０１０１】
そして、光ディスク２の再生を行った後、ディスクドライブ装置５０に装着されたディスクカートリッジ１をイジェクトするには、イジェクトボタン５５を操作することによって行われる。イジェクトボタン５５が操作されると、カートリッジ装着部に装着されたディスクカートリッジ１のイジェクト操作が実行される。イジェクト操作が実行されると、更なる詳細な説明は省略するが、上述した動作とは逆の動作をもってシャッタ部材１５がカートリッジ本体５に対し相対移動され、ヘッド用開口部１３を閉塞し、このヘッド用開口部１３を閉塞した位置にロックされる初期状態に復帰する。このシャッタ部材１５の閉塞位置への復帰動作とともにカートリッジ挿脱口５３からの排出が行われ、ディスクドライブ装置５０に装着されたディスクカートリッジ１のイジェクト操作が完了する。
【０１０２】
また、本発明に係るディスクカートリッジは、シャッタ部材をヘッド用開口部１３を開閉する位置に選択的に付勢する捩りコイルバネを次のように構成してもよい。なお、以下の説明において、上記ディスクカートリッジ１と同一の部材については同一の符号を付してその詳細を省略する。
【０１０３】
この捩りコイルバネ７０は、図１９（ａ）及び（ｂ）に示すように、中間部に設けられた第１のコイル部７１を介して、シャッタ部材８０に係止される第１のアーム部７０ａと、カートリッジ本体５の一部に支持される第２のアーム部７０ｂが形成されている。
【０１０４】
第１のコイル部７１は、複数回巻回されることにより所定の厚みを有して形成され、厚さ方向の一端側７１ａより第１のアーム部７０ａが延設され、厚さ方向の他端側７１ｂより第２のアーム部７０ｂが延設されている。この第１のコイル部７１より延設される第１のアーム部７０ａは、先端部にシャッタ部材１５に係止される係止部７４が形成されている。係止部７４は、第１のアーム部７０ａの先端部から延設される延設部７４ａと、この延設部７４ａの延設方向より第１のコイル部７１の巻方向へ略直角に折り曲げられる立ち上がり部７４ｂと、立ち上がり部７４ｂの先端がさらに第１のアーム部７０ａと略平行に折り曲げられる折り曲げ部７４ｃとからなり、全体を略コ字状に形成されている。係止部７４の折り曲げ部７４ｃは、第１のアーム部７０ａの延設方向から所定の角度θ１を有して折り曲げられている。この係止部７４は、上記シャッタ部材８０のコイルバネ取付片８２の先端に穿設した係止孔８３に係止させることにより捩りコイルバネ７０をシャッタ部材１５に支持させる。
【０１０５】
捩りコイルバネ７０が支持されるシャッタ部材８０は、図２０に示すように、カートリッジ本体５に、ヘッド用開口部１３を開閉自在に取り付けられ、ヘッド用開口部１３を閉塞するに足る大きさの矩形状に形成された平板状のシャッタ部１６と、シャッタ部１６の基板部側に形成された断面コ字状に形成された支持部１７とを備える。
【０１０６】
そして、支持部１７には、シャッタ部１６の基端部から垂直に立ち上がり形成された連結片２１が形成され、この連結片２１の先端部にシャッタ部１６側に向かって折り曲げられ係合溝２４に係合される第１の係合片２２が設けられている。連結片２１の両側には、第１の係合片２２が形成された部分より一段低い位置でＬ字状に折り曲げられスライドガイド部１８に係合される第２の係合片２３が設けられている。
【０１０７】
また、連結片２１には捩りコイルバネ７０の係止部７４が係止される係止孔８３が形成されたコイルバネ取付片８２が設けられている。コイルバネ取付片８２は、シャッタ部１６側に向かって延設されると共に一部が開放された略円形の係止孔８３が形成されている。
【０１０８】
この係止孔８３には、上述した捩りコイルバネ７０が、第１のアーム部７０ａに形成された係止部７４の立ち上がり部７４ｂが開放端より挿入されることにより係止される。ここで、上述したように、係止部７４の折り曲げ部７４ｃは、第１のアーム部７０ａの延設方向から所定の角度θ１を有して折り曲げられているため、シャッタ部材８０が開閉動作されたときにも、係止部７４の係止孔８３からの抜け止めが図られている。
【０１０９】
なお、図２１（ａ）及び（ｂ）に示すように、捩りコイルバネ７０の係止部７４を、延設部７４ａ及び折り曲げ部７４ｃが第１のアーム部７０ａの延設方向から所定の角度θ２及びθ３を有して折り曲げるよう形成することにより、さらに係止孔８３からの抜けを防止することができる。
【０１１０】
また、図１９及び図２１に示すように、捩りコイルバネ７０の第２のアーム部７０ｂは、捩りコイルバネ７０をカートリッジ本体５に回動自在に係合させる第２のコイル部７２が形成されている。この第２のコイル部７２は、上記第１のコイル部７１と巻方向を逆にして複数回巻回されることにより、第１のコイル部７１の厚さ方向の一端側７１ａに向かって形成されている。そして、第２のコイル部７２は、カートリッジ本体５の内面に突設した支持ピン４２に回転自在に取り付けられている。
【０１１１】
このように、捩りコイルバネ７０は、第１のコイル部７１と第２のコイル部７２とが巻方向を互いに逆にして複数回巻回されて形成されているため、捩りコイルバネ７０全体の厚みを抑え、カートリッジ本体の薄型化を図ることができる。すなわち、コイル部を複数備えた捩りコイルバネにおいて、各コイル部の巻方向を同一方向に形成すると、第２のコイル部７２は第１のコイル部の他端側７１ｂの位置からさらに第１のコイル部７１の厚さ方向の他端側７１ｂ方向に向かって巻回されるため、第１のコイル部の厚さに第２のコイル部の厚さが加わることによりバネ全体の厚さが増してしまい、捩りコイルバネを収納するカートリッジ本体の厚さが増してしまう。また、このようなディスクカートリッジが挿脱されるディスクドライブ装置の厚さも増大する。
【０１１２】
しかし、本発明に係る捻りコイルバネ７０によれば、第１のコイル部７１と第２のコイル部７２とが互いに巻方向が逆とされることにより、第２のコイル部７２は第１のコイル部７１の一端側７１ａに向かって巻回され、バネ全体の厚さを第１又は第２のコイル部７１，７２のいずれかの厚さに抑えることができる。
【０１１３】
以上のような捩りコイルバネ７０においても、上記捩りコイルバネ３９と同様に、シャッタ部材８０がヘッド用開口部１３を閉塞する位置にあるときには、ヘッド用開口部１３を閉塞した状態を維持するように図２中矢印Ｂ方向にシャッタ部材８０を付勢する。そして、ディスクカートリッジ１がドライブ装置に装着され、シャッタ部材ロック機構２７によるロックが解除されると、シャッタ部材８０はヘッド用開口部１３を開放する図２中矢印Ａ方向に相対移動していく。シャッタ部材８０の移動に伴い、シャッタ部材８０のコイルバネ取付片８２に設けられた係止孔８３に係止された捩りコイルバネ７０は、カートリッジ本体５の内面に突設した支持ピン４２に回転自在に取り付けられた第２のコイル部７２を中心に回転され、第１のコイル部７１の位置がシャッタ部材８０の移動方向に移動する。そして、第１のコイル部７１が支持ピン４２の位置を越えると捩りコイルバネ７０は付勢方向が反転され、シャッタ部材８０をヘッド用開口部１３を開放する図２中矢印Ａ方向に付勢し、ヘッド用開口部１３を開放した位置に保持する。
【０１１４】
また、シャッタ部材８０がヘッド用開口部１３を開放した位置に保持されたディスクカートリッジ１をディスクドライブ装置から取り出すイジェクト操作を行うと、シャッタ部材８０はカートリッジ本体５に対し図２中矢印Ｂ方向に移動していき、第１のコイル部７１も同方向の矢印Ｂ方向に移動していく。捩りコイルバネ７０は、シャッタ部材８０が更に矢印Ｂ方向方向に移動し、コイル部７１がシャッタ部材７１の移動方向側に位置する支持ピン４２の位置を超えると付勢方向が反転される。捩りコイルバネ７０は、付勢方向が反転されると、シャッタ部材８０を図２中矢印Ｂ方向に移動するように付勢し、ヘッド用開口部１３を閉塞する方向に移動してヘッド用開口部１３を閉塞した位置に保持する。
【０１１５】
また、本発明に係るディスクカートリッジは、図２２に示すように、捩りコイルバネ７０の第２のコイル部７２を厚さ方向の先端に向かうにつれて漸次縮径するように形成すると共に、この第２のコイル部７２が係合するカートリッジ本体５に立設された支持ピン４２も立設方向の先端に向かうにつれて漸次縮径するように形成するようにしてもよい。
【０１１６】
すなわち、捩りコイルバネ７０の第２のコイル部７２は、巻方向の基端側の径Ｄ１が巻方向の先端側の径Ｄ２の径よりも広く、先端に向かうにつれて漸次縮径するように巻回される。また、この第２のコイル部７２が係合するカートリッジ本体５の支持ピン４２は、立設方向の基端側の径Ｄ３が立設方向の先端側の径Ｄ４よりも広く、先端に向かうにつれて漸次縮径するように形成される。また、第２のコイル部７２及び支持ピン４２の各基端側の径Ｄ１及びＤ３は略同一に形成され、各先端側の径Ｄ２及びＤ４は略同一に形成される。なお、支持ピン４２は、第２のコイル部７２の厚さｈよりも高く形成され、基端部から高さｈの位置において第２のコイル部７２の先端部の径Ｄ２と略同一の径Ｄ４とされている。
【０１１７】
このようなディスクカートリッジ１によれば、第２のコイル部７２が支持ピン４２に係合されることにより、第２のコイル部７２の巻方向の基端から先端に至るまで支持ピン４２に隙間無く係合させることができ、シャッタ部材８０の開閉動作に伴って捩りコイルバネ７０が回動したときに、回動支点となる第２のコイル部７２がたつくことを防止することができる。また、捩りコイルバネ７０がカートリッジ本体５と確実に係合されるため、ディスクカートリッジ１の使用中に捩りコイルバネ７０がカートリッジ本体５から脱落してしまうことを防止することができる。
【０１１８】
上述したディスクカートリッジ１は、シャッタ部材１５をヘッド用開口部１３を開閉する位置に選択的に付勢する二方向付勢機構３８を捩りコイルバネ３９を用いて構成したが、本発明に係るディスクカートリッジ１は、この例に限られるものではなく、次のように構成されたものであってもよい。
【０１１９】
以下に、本発明に係るディスクカートリッジ１の他の例を図面を参照して説明する。
【０１２０】
なお、以下に示すディスクカートリッジ１は、シャッタ部材１５を閉塞位置にロックするためのシャッタ部材ロック機構２７を設けることなく構成されている。
【０１２１】
本例のディスクカートリッジ１は、シャッタ部材１５をヘッド用開口部１３を開閉する位置に選択的に付勢する二方向付勢機構１３８を図２３に示すように構成したものである。この二方向付勢機構１３８も、シャッタ部材１５がヘッド用開口部１３を閉塞する位置から開放する位置に向かう矢印Ａ方向の上流側に位置して配設されている。
【０１２２】
図２３に示す二方向付勢機構１３８は、カートリッジ本体５を構成する下ハーフ４の内面に支軸１０１を介して回動可能に支持された回動部材としての回動レバー１０２と、この回動レバー１０２を回動付勢する付勢部材である圧縮コイルバネ１０３とを備える。
【０１２３】
回動レバー１０２は、シャッタ部材１５の移動方向に沿って延在するようにし、支軸１０１に支持された基盤部側をシャッタ部材１５の移動方向の下流側に位置させ、自由端側がシャッタ部材１５の移動方向の上流側に位置するようにして配設されている。この回動レバー１０２は、カートリッジ本体５内に設けられたバネ支持部１０４と自由端側の端部との間に介在された圧縮コイルバネ１０３により、支軸１０１を中心にして図２３中矢印Ｅ方向に回動付勢されている。すなわち、回動レバー１０２は、自由端側がシャッタ部材１５がスライドするカートリッジ本体５の一方の側面８側に回動付勢されている。
【０１２４】
なお、回動レバー１０２の回動付勢位置は、自由端側の端部がカートリッジ本体５の立ち上がり周壁３ａ，４ａに当接することによって規制されている。
【０１２５】
回動レバー１０２の一側面側、すなわち、カートリッジ本体５に支持されたシャッタ部材１５の支持部１７に対向する面側には、シャッタ部材１５に設けた押圧操作部１０５により押圧操作される押圧操作面１０６が設けられている。押圧操作面１０６は、回動レバー１０２の長手方向の中央部を頂点１０６ａとして基端側に向かって傾斜する第１の傾斜面１０７と、自由端側に向かって傾斜する第２の傾斜面１０８とから構成されている。
【０１２６】
なお、シャッタ部材１５に設けられる押圧操作部１０５は、連結片２１の一部を切り起こし、シャッタ部材１５の移動方向の上流側に突出するように形成された延長片１０９の先端部に円筒状のピンを植立して構成されている。また、押圧操作部１０５は、シャッタ部材１５がカートリッジ本体５に支持されたとき、カートリッジ本体５側に取り付けられた回動レバー１０２の押圧操作面１０６上に当接するようにシャッタ部材１５に設けられる。
【０１２７】
そして、押圧操作面１０６を構成する第１の傾斜面１０７は、この第１の傾斜面１０７上に乗り上げる押圧操作部１０５を回動レバー１０２の基端部側に移動するようにガイドし、シャッタ部材１５がヘッド用開口部１３を閉塞する方向へ移動するようにガイドする。また、第２の傾斜面１０８は、この第２の傾斜面１０８上に乗り上げる押圧操作部１０５を回動レバー１０２の自由端側に移動するようにガイドし、シャッタ部材１５がヘッド用開口部１３を開放する方向に移動するようにガイドする。
【０１２８】
図２３に示す二方向付勢機構１３８は、回動レバー１０２が圧縮コイルバネ１０３によりシャッタ部材１５に設けた押圧操作部１０５に圧接するように矢印Ｅ方向に回動付勢しているので、押圧操作部１０５が第１の傾斜面１０７上又は第２の傾斜面１０８上に位置するかにより、シャッタ部材１５をヘッド用開口部１３を閉塞する方向の図２３中矢印Ｂ方向のヘッド用開口部１３を閉塞する方向又は図２３中矢印Ａ方向のヘッド用開口部１３を開放する方向に移動するようにガイドする。このとき、回動レバー１０２は、圧縮コイルバネ１０３によりシャッタ部材１５の押圧操作部１０５を押圧付勢する方向の図２３中矢印Ｅ方向に回動付勢されているので、シャッタ部材１５の移動方向と平行になるように回動付勢されている。その結果、第１の傾斜面１０７又は第２の傾斜面１０８上に位置する押圧操作部１０５は、第１の傾斜面１０７又は第２の傾斜面１０８により押圧され、ヘッド用開口部１３を閉塞する方向の図２３中矢印Ｂ方向、又はヘッド用開口部１３を開放する方向に図２３中矢印Ａ方向に移動される。押圧操作部１０５が第１の傾斜面１０７又は第２の傾斜面１０８にガイドされて移動することにより、シャッタ部材１５はヘッド用開口部１３を閉塞した位置又は開放した位置に移動される。そして、シャッタ部材１５は、図２３に示すように、ヘッド用開口部１３を閉塞した位置に移動されたときには、押圧操作部１０５が回動付勢された回動レバー１０２の第１の傾斜面１０７により押圧支持されることにより、図２３中矢印Ｂ方向に常時付勢された状態が維持され、ヘッド用開口部１３を閉塞した状態を維持する。
【０１２９】
したがって、本例のディスクカートリッジ１においても、ヘッド用開口部１３を確実に閉塞することができる。
【０１３０】
また、シャッタ部材１５は、ヘッド用開口部１３を開放した位置に移動されたときには、押圧操作部１０５が回動レバー１０２の第２の傾斜面１０８により押圧支持されることにより、図２３中矢印Ａ方向に常時付勢された状態が維持され、ヘッド用開口部１３を開放した状態を維持するので、このディスクカートリッジ１を用いるディスク記録及び／又は再生装置においても、装置側にシャッタ部材１５を開放位置に保持するための機構を設ける必要がなくなり、機構の簡素化を実現し、装置自体の小型化を実現できる。
【０１３１】
ここで、本例のディスクカートリッジ１が上述したディスクドライブ装置５０に挿脱されてヘッド用開口部１３が開閉される状態を説明する。
【０１３２】
本例のディスクカートリッジ１は、ディスクドライブ装置５０に装着されない初期状態では、シャッタ部材１５は、押圧操作部１０５が回動付勢された回動レバー１０２の第１の傾斜面１０７により押圧支持され、図２３中矢印Ｂ方向に常時付勢された状態におかれヘッド用開口部１３を閉塞した位置に保持されている。
【０１３３】
このディスクカートリッジ１は、円弧状部７側を挿入端としてディスクドライブ装置５０のカートリッジホルダ５４に挿入していくと、カートリッジホルダ５４に設けたシャッタ解放操作片６３によりシャッタ部材１５が図２３中矢印Ａ方向に移動される。シャッタ部材１５が図２３中矢印Ａ方向に移動されると、押圧操作部１０５が第１の傾斜面１０７上を移動しながら回動レバー１０２を圧縮コイルバネ１０３の付勢力に抗して図２４中矢印Ｆ方向に回動される。ディスクカートリッジ１が更にカートリッジホルダ５４内に挿入され、押圧操作部１０５が回動操作部１０６の頂点１０６ａを越えて第２の傾斜面１０８上に至ると、回動レバー１０２は圧縮コイルバネ１０３の付勢力を受けて図２５中矢印Ｅ方向に回動復帰する。すなわち、回動レバー１０２は、第１の傾斜面１０７とは逆向きに傾斜された第２の傾斜面１０８を初期状態に復帰させるように回動する。その結果、第２の傾斜面１０８上にある押圧操作部１０５が第２の傾斜面１０８にガイドされて図２５中矢印Ａ方向に移動し、シャッタ部材１５はヘッド用開口部１３を開放した位置に移動される。このとき、シャッタ部材１５は、押圧操作部１０５が回動付勢された回動レバー１０２の第２の傾斜面１０８により押圧支持されることにより、図２５中矢印Ａ方向に常時付勢された状態が維持され、ヘッド用開口部１３を開放した状態を維持する。
【０１３４】
また、ディスクドライブ装置５０に装着されたディスクカートリッジ１は、イジェクト操作されると、押圧操作部１０５が回動レバー１０２の第２の傾斜面１０８上から第１の傾斜面１０７上に移動する。押圧操作部１０５が押圧操作面１０６の頂点１０６ａを越えて第１の傾斜面１０７上に至ると、回動レバー１０２は圧縮コイルバネ１０３の付勢力を受けて図２５中矢印Ｅ方向に回動復帰するように回動し、第１の傾斜面１０７上にある押圧操作部１０５を図２３中矢印Ｂ方向に移動し、シャッタ部材１５をヘッド用開口部１３を閉塞した位置に移動する。その結果、ディスクカートリッジ１は、ディスクドライブ装置５０からイジェクトされると、シャッタ部材１５が初期位置に復帰される。そして、シャッタ部材１５は、初期位置に復帰されたとき、押圧操作部１０５が回動付勢された回動レバー１０２の第１の傾斜面１０７により押圧支持されることにより、図２３中矢印Ｂ方向に常時付勢された状態が維持され、ヘッド用開口部１３を閉塞した状態を維持する。
【０１３５】
このディスクカートリッジ１においても、シャッタ部材１５を確実にヘッド用開口部１３を開閉した位置に保持でき、しかも、シャッタ部材１５のヘッド用開口部１３に対する位置に応じてヘッド用開口部１３を開閉する方向に移動付勢できるので、ヘッド用開口部１３の確実な開閉操作を行うことができる。また、本例のディスクカートリッジ１を用いるディスクドライブ装置５０においても、シャッタ部材１５を開放位置に保持するための機構を設ける必要がなくなる。
【０１３６】
上述したディスクカートリッジ１においては、二方向付勢機構１３８を回動レバー１０２とこの回動レバー１０２を付勢する圧縮コイルバネ１０３とにより構成しているが、これらを一体に構成したものであってもよい。すなわち、二方向付勢機構２３８は、図２６に示すように、回動レバー２０２と、この回動レバー２０２をシャッタ部材１５側に回動付勢する回動付勢部２０３とを板バネにより一体に形成したものである。回動レバー２０２は、長尺な一枚の板バネを山形に折り曲げ、シャッタ部材１５側の押圧操作部１０５を押圧操作する押圧操作面２０６に第１の傾斜面２０７及び第２の傾斜面２０８を形成したものである。回動付勢部２０３は、板バネの回動レバー２０２を構成する部分から延長された先端側部分を半円状に湾曲して形成されている。
【０１３７】
回動付勢部２０３が一体に形成された回動レバー２０２は、押圧操作面２０６がシャッタ部材１５の移動方向に沿うようにしてカートリッジ本体５内に配設され、基端部側をカートリッジ本体５側に設けた支軸１０１に枢支し、回動付勢部２０３の先端側をカートリッジ本体５側に設けたバネ支持部１０４に支持させて取り付けられる。このように構成された回動レバー２０２も、回動付勢部２０３の付勢力を受け、支軸１０１を中心にして押圧操作面２０６をシャッタ部材１５の押圧操作部１０５側に圧接するように図２６中矢印Ｅ方向に回動付勢している。
【０１３８】
図２６に示すように構成された二方向付勢機構２３８を備えたディスクカートリッジ１においても、詳細な説明は省略するが、前述した二方向付勢機構１３８を用いたディスクカートリッジ１と同様に、ディスクドライブ装置５０への挿脱に関連してシャッタ部材１５の開閉が行われ、ヘッド用開口部１３を開閉した各位置において、シャッタ部材１５を保持することができる。
【０１３９】
また、上述したディスクカートリッジ１は、いずれもヘッド用開口部１３に対する移動位置に応じてシャッタ部材１５をヘッド用開口部１３を開閉するいずれかの位置方向に移動付勢するようにしているが、ヘッド用開口部１３を閉塞した位置及び開放した位置のそれぞれにシャッタ部材１５を保持するようにした二方向付勢機構３３８を用いてもよい。
【０１４０】
この二方向付勢機構３３８は、図２７に示すように、板バネにより形成された押圧操作板３０２により構成されている。押圧操作板３０２は、カートリッジ本体５内に取り付けられた取付板３０１に長手方向の中央部を支持されてシャッタ部材１５の移動方向に沿って延在するように配設されている。この押圧操作板３０２は、取付板３０１の両側に突出した第１及び第２の押圧操作片３０３，３０４が取付板３０１への支持点を中心にしてシャッタ部材１５の移動方向と直交する方向に弾性変位する。
【０１４１】
なお、この二方向付勢機構３３８も、シャッタ部材１５がヘッド用開口部１３を開放するように移動する方向の上流側に位置して配設されている。
【０１４２】
そして、押圧操作板３０２は、シャッタ部材１５がヘッド用開口部１３を閉塞した位置と開閉した位置との間に亘って移動する範囲に相当する長さをもって形成され、この押圧操作板３０２上を摺接するシャッタ部材１５に設けた押圧操作部１０５を押圧付勢するように取付板３０１に取り付けられている。
【０１４３】
また、押圧操作板３０２を構成する第１及び第２の押圧操作片３０３，３０４の先端側には、シャッタ部材１５がヘッド用開口部１３を開閉した位置に移動したとき押圧操作部１０５と係合し、シャッタ部材１５の移動を規制する第１及び第２の係合突部３０５，３０６がそれぞれ設けられている。
【０１４４】
上述のように構成された二方向付勢機構３３８を備えたディスクカートリッジ１は、図２８に示すように、シャッタ部材１５がヘッド用開口部１３を閉塞した位置にあるときには、押圧操作部１０５が第１の係合突部３０５を乗り越えて第１の押圧操作片３０３の先端側に位置して第１の係合突部３０５と係合し、シャッタ部材１５がヘッド用開口部１３を閉塞した位置に保持される。このとき、シャッタ部材１５は、押圧操作部１０５が第１の押圧操作片３０３により押圧支持されているので、移動が規制されてヘッド用開口部１３を閉塞した位置に保持される。
【０１４５】
また、シャッタ部材１５がヘッド用開口部１３を開放した位置にあるときには、図２９に示すように、押圧操作部１０５が第２の係合突部３０６を乗り越えて第２の押圧操作片３０４の先端側に位置して第２の係合突部３０６と係合し、シャッタ部材１５がヘッド用開口部１３を開放した位置に保持される。このとき、シャッタ部材１５は、押圧操作部１０５が第２の押圧操作片３０４により押圧支持されているので、移動が規制されてヘッド用開口部１３を開放した位置に保持される。
【０１４６】
このように構成された二方向付勢機構３３８を備えたディスクカートリッジ１においても、ディスクドライブ装置５０への挿脱に関連してシャッタ部材１５の開閉が行われ、ヘッド用開口部１３を開閉した各位置において、シャッタ部材１５を保持することができる。しかも、このディスクカートリッジ１を用いるディスクドライブ装置５０側にシャッタ部材１５を開放位置に保持するための機構を設ける必要がなくなる。
【０１４７】
上述した説明では、挿入端側を半円状に形成し、小型化を図ったディスクカートリッジに適用した例を挙げて説明したが、本発明は、上述したディスクカートリッジに限られるものではなく、カートリッジ本体を矩形状に形成されたもの、更に、カートリッジ本体の上下の両面に記録及び／又は再生用の開口部を設けたディスクカートリッジにそのまま適用し、上述したディスクカートリッジと同様の利点を得ることができる。
【０１４８】
すなわち、本発明は、カートリッジ本体に設けられた記録及び／又は再生用の開口部を開閉するシャッタ部材を備えたディスクカートリッジに広く適用できるものである。
【図面の簡単な説明】
【０１４９】
【図１】本発明に係るディスクカートリッジを上ハーフ側から見た斜視図である。
【図２】本発明に係るディスクカートリッジを下ハーフ側から見た斜視図である。
【図３】本発明に係るディスクカートリッジの下ハーフ側から見た平面図である。
【図４】シャッタ部材とこのシャッタ部材が支持されるカートリッジ本体を示す斜視図である。
【図５】シャッタ部材と、このシャッタ部材に取り付けられるシャッタ部材ロック機構を示す斜視図である。
【図６】本発明に係るディスクカートリッジのシャッタ部材が取り付けられた側の側面を示す側面図である。
【図７】カートリッジ本体にシャッタ部材を取り付けた状態を示す断面図である。
【図８】シャッタ部材がシャッタ部材ロック機構によりロックされた状態を示す平面図である。
【図９】シャッタ部材のロックが解除された状態を示す平面図である。
【図１０】シャッタ部材がヘッド用開口部を開放する方向に移動される途中の状態を示す平面図である。
【図１１】シャッタ部材がヘッド用開口部を開放した位置まで移動された状態を示す平面図である。
【図１２】ヘッド用開口部が開放された状態を示すディスクカートリッジの側面図である。
【図１３】本発明に係るディスクカートリッジが用いられるディスクドライブ装置の一例を示す斜視図である。
【図１４】ディスクカートリッジがディスクドライブ装置のカートリッジ挿脱口に対し傾斜して挿入される状態を示す平面図である。
【図１５】ディスクカートリッジがディスクドライブ装置のカートリッジ挿脱口に対し他の方向に傾斜して挿入される状態を示す平面図である。
【図１６】ディスクカートリッジが姿勢が制御されてカートリッジホルダに挿入された状態を示す平面図である。
【図１７】ディスクカートリッジがカートリッジホルダに挿入され、シャッタ部材のロックが解除された状態を示す平面図である。
【図１８】ディスクカートリッジがカートリッジホルダに挿入され、シャッタ部材が移動されヘッド用開口部が開放された状態を示す平面図である。
【図１９】二方向付勢機構を構成する捩りコイルバネの他の例を示す図である。
【図２０】シャッタ部材の他の例を示す平面図である。
【図２１】二方向付勢機構を構成する捩りコイルバネの更に他の例を示す図である。
【図２２】二方向付勢機構を構成する捩りコイルバネの更に他の例を示す図である。
【図２３】本発明に係るディスクカートリッジの他の例を示す斜視図である。
【図２４】図２３に示すディスクカートリッジにおいて、シャッタ部材がヘッド用開口部を開放する途中まで移動された状態を示す平面図である。
【図２５】図２３に示すディスクカートリッジにおいて、シャッタ部材がヘッド用開口部を開放した位置まで移動された状態を示す平面図である。
【図２６】本発明に係るディスクカートリッジの更に他の例を示す斜視図である。
【図２７】本発明に係るディスクカートリッジの更に他の例を示す斜視図である。
【図２８】図２７に示すディスクカートリッジにおいて、シャッタ部材がヘッド用開口部を開放する途中まで移動された状態を示す平面図である。
【図２９】図２７に示すディスクカートリッジにおいて、シャッタ部材がヘッド用開口部を開放した位置まで移動された状態を示す平面図である。
【符号の説明】
【０１５０】
１  ディスクカートリッジ、２  光ディスク、５  カートリッジ本体、７  円弧状部、８  シャッタ部材が支持される側の側面、１３  ヘッド用開口部、１５  シャッタ部材、１７  支持部、１８  スライドガイド部、３８  二方向付勢機構、３９，７０  捩りコイルバネ
【図１】
2005108393.tif 000003
【図２】
2005108393.tif 000004
【図３】
2005108393.tif 000005
【図４】
2005108393.tif 000006
【図５】
2005108393.tif 000007
【図６】
2005108393.tif 000008
【図７】
2005108393.tif 000009
【図８】
2005108393.tif 000010
【図９】
2005108393.tif 000011
【図１０】
2005108393.tif 000012
【図１１】
2005108393.tif 000013
【図１２】
2005108393.tif 000014
【図１３】
2005108393.tif 000015
【図１４】
2005108393.tif 000016
【図１５】
2005108393.tif 000017
【図１６】
2005108393.tif 000018
【図１７】
2005108393.tif 000019
【図１８】
2005108393.tif 000020
【図１９】
2005108393.tif 000021
【図２０】
2005108393.tif 000022
【図２１】
2005108393.tif 000023
【図２２】
2005108393.tif 000024
【図２３】
2005108393.tif 000025
【図２４】
2005108393.tif 000026
【図２５】
2005108393.tif 000027
【図２６】
2005108393.tif 000028
【図２７】
2005108393.tif 000029
【図２８】
2005108393.tif 000030
【図２９】
2005108393.tif 000031